(57)【要約】【課題】紙詰まり状態に陥ることなく確実に切断後の記録紙が記録紙排出口から落下することを防止でき、必要に応じて保持を解除可能なプリンタの切断記録紙片の保持および保持解除方法を提案すること。【解決手段】ロール紙プリンタ１の印字動作が終了して可動刃２４により記録紙７ａを切断すると、切断後の記録紙片７ｂが可動刃側面２４ａと押さえレバー３１の間に保持され、落下することがない（ＳＴ１、２、３）。記録紙片７ａが引き抜かれなくとも、次の印字動作を開始するとき（ＳＴ８）、開閉蓋を開けるとき（ＳＴ９）、ペーパーフィードボタンＰＦの操作（ＳＴ１０）により紙を送り出すときには、事前に可動刃２４を元の位置に戻して記録紙片の保持を解除し（ＳＴ５、６、７）、紙詰まりなどの弊害の発生を未然に防止する。【選択図】図８
2007111881.tif 000002
【特許請求の範囲】
【請求項１】
記録紙排出口から排出される長尺状の記録紙を、その先端から所定の長さの位置において、固定刃および可動刃を備えた記録紙切断装置によって切断し、
この切断途中の時点から、記録紙切断方向に移動する前記可動刃の側面により、切断位置手前側の記録紙の部分を、当該側面に向かう方向に付勢されている押さえレバーに押し付けることにより保持し、
記録紙切断後においては、前記可動刃を記録紙切断後の位置に留めることにより、当該可動刃の側面と前記押さえレバーの間に、切断によって得られた所定長さの記録紙片が保持された状態を維持し、
前記記録紙片が、前記可動刃の側面および前記押されレバーの間から引き抜かれたことが検出されると、前記可動刃を記録紙切断後の位置から待機位置に戻すことを特徴とするプリンタの切断記録紙片の保持および保持解除方法。
【請求項２】
請求項１において、
前記記録紙片が前記可動刃の側面と前記押さえレバーの間に保持されている状態であっても、次の場合には、前記可動刃を事前に前記待機位置に戻し、前記記録紙片の保持を解除することを特徴とするプリンタの切断記録紙片の保持および保持解除方法。
（１）次の印字動作を行う場合
（２）記録紙収納部の開閉蓋のロックが解除された場合
（３）記録紙を送り出すための操作入力があった場合
【請求項３】
請求項１または２に記載の方法により、長尺状の記録紙を切断することにより得られた所定長さの記録紙片の保持および保持の解除を行うことを特徴とするプリンタ。
【発明の詳細な説明】
【技術分野】
【０００１】
本発明は、長尺状の記録紙に印字を行った後に記録紙切断装置によって切断することにより得られる記録紙片を、レシート、クーポンなどとして発行するプリンタに関し、特に、切断後に、レシート、クーポンなどの記録紙片が記録紙排出口から落下しないように保持する記録紙保持機構の動作制御方法に関するものである。
【背景技術】
【０００２】
レシート、クーポンなどを発行するためのプリンタにおいては、ロール紙などの長尺状の記録紙に印字を行った後に、記録紙排出口近傍に配置されている記録紙切断装置によって記録紙を切断し、切断によって得られた一定長さの記録紙片をレシート、クーポンなどとして発行している。このようなプリンタでは、切断後に記録紙片が記録紙排出口から落下しないように、記録紙を完全に切断することなく、その隅を僅かに切り残す、所謂パーシャルカットを行う記録紙切断装置が用いられる場合がある。特許文献１には、このようなシート切断装置が開示されている。この場合、操作者が切断位置よりも先端側の記録紙片を引きちぎることにより、一枚のレシートあるいはクーポンが得られる。
【０００３】
しかしながら、このように記録紙片を切り残すと、操作者が記録紙片を引きちぎる際に、後続の記録紙部分も引張られ、当該記録紙部分にずれが発生し、その後の印字において、印字乱れ、印字ヘッドに接触することに起因する汚れ、紙詰まりなどの弊害が発生するおそれがある。
【０００４】
そこで、記録紙片を完全に切断し、しかも、切断後に記録紙排出口から記録紙片が落下しないようにすることが望ましい。特許文献２には、切断後の記録紙片を、レシート押さえ面と、ここに押し付けられているレシート押さえ片との間に保持し、レシート押さえ片の押し付け力によって切断後の記録紙片が記録紙排出口から落下することを防止したレシートプリンタが開示されている。
【特許文献１】特開平９−１９８８６号公報
【特許文献２】特開平９−１２８６５５号公報
【発明の開示】
【発明が解決しようとする課題】
【０００５】
しかしながら、特許文献２に開示されているレシートの落下を防止する機構においては、レシート押さえ片とレシート押さえ面の間に、記録紙の先端が強制的に通される。このため、記録紙の先端部が折れ曲がっている場合、カールが付いている場合などにおいては、記録紙をこれらの間に通すことができず、これらの手前の部分で紙詰まり状態になる可能性が高い。
【０００６】
また、これらの間の挟まれた状態で保持されているレシートを操作者が取り除かない限り、レシートはそこに残ったままになる。レシートが取り除かれることなく次のレシート発行が行われると、当該部分で紙詰まりが発生してしまう。したがって、操作者がレシートを取り除かないと、次のレシート発行動作を行うことができないという不便さがある。
【０００７】
本発明の課題は、このような点に鑑みて、紙詰まり状態を招くことなく、確実に切断後の記録紙片を記録紙排出口から落下しないように保持でき、必要に応じて、記録紙片の保持を解除することのできるプリンタの切断記録紙片の保持および保持解除方法を提案することにある。
【課題を解決するための手段】
【０００８】
上記の課題を解決するために、本発明のプリンタの切断記録片の保持および保持解除方法は、記録紙排出口から排出される長尺状の記録紙を、その先端から所定の長さの位置において、固定刃および可動刃を備えた記録紙切断装置によって切断し、この切断途中の時点から、記録紙切断方向に移動する前記可動刃の側面により、切断位置手前側の記録紙の部分を、当該側面に向かう方向に付勢されている押さえレバーに押し付けることにより保持し、記録紙切断後においては、前記可動刃を記録紙切断後の位置に留めることにより、当該可動刃の側面と前記押さえレバーの間に、切断によって得られた所定長さの記録紙片が保持された状態を維持し、前記記録紙片が、前記可動刃の側面および前記押されレバーの間から引き抜かれたことが検出されると、前記可動刃を記録紙切断後の位置から待機位置に戻すことを特徴としている。
【０００９】
本発明の方法では、切断途中の時点から、記録紙を切断している可動刃の側面に対して、切断後に得られる記録紙片の後端部分が押さえレバーによって押し付けられ、これら側面および押さえレバーの間に挟まれる。記録紙が完全に切断されて所定長さの記録紙片が得られた状態では、記録紙切断後の位置まで移動した可動刃の側面と押さえレバーの間に、記録紙片の後端部分が保持された状態になる。
【００１０】
このように、可動刃が切断方向に移動すると、可動刃の側面と押さえレバーの間に位置している記録紙の部分が、これらの間に挟まれた状態になる。したがって、記録紙の先端を、押さえレバーと、これが押し付けられている部材との間に強制的に通すことにより、切断後の記録紙片を保持する場合とは異なり、紙詰まりが発生するおそれがない。
【００１１】
また、記録紙切断後においても、可動刃の側面と押さえレバーの間から記録紙片が引き抜かれまでは、可動刃を記録紙切断後の位置に留めて置くことにより、記録紙片を確実に記録紙排出口の部分に保持できる。
【００１２】
さらに、本発明の方法では、記録紙片が保持状態で残っている場合であっても、次のような場合には、可動刃を記録紙切断後の位置から元の待機位置に戻すようにしている。
（１）次の印字動作を行う場合
（２）記録紙収納部の開閉蓋のロックが解除された場合
（３）記録紙を送り出すための操作入力があった場合
【００１３】
まず、次の印字動作を行う場合、すなわち、新たなレシート、クーポンなどを発行する場合には、可動刃を元の待機位置に戻さないと、その下流側に位置している記録紙を記録紙排出口に送り出すことができず、当該可動刃の部分で記録紙が詰まってしまう。本発明によればこのような紙詰まりの発生を防止できる。
【００１４】
また、記録紙切断装置の固定刃および可動刃の一方がプリンタ本体側に取り付けられ、他方が記録紙収納部を開閉するための開閉蓋の側に取り付けられている場合には、可動刃が記録紙切断後の位置のままでは、可動刃と固定刃が相互に重なった状態にある。例えば、開閉蓋の側に固定刃が取り付けられ、可動刃が固定刃に対して開閉蓋の開き方向の側に重なった状態となる場合には、開閉蓋を開けることができない。本発明では開閉蓋のロックが解除されると、可動刃が固定刃から離れた元の待機位置に戻されるので、開閉蓋を開けることができないという弊害の発生を回避できる。
【００１５】
さらに、プリンタにおいては一般に手動操作によって記録紙を送り出すためのペーパーフィードボタンが配置されている。可動刃が記録紙切断後の位置にある状態のままで、記録紙の送り出し動作が行われると、記録紙の先端が可動刃に当たり、その位置で紙詰まりが発生してしまう。本発明によれば、このような紙詰まりの発生を防止できる。
【００１６】
一方、本発明のプリンタは、上記の方法により、記録紙片の保持および保持の解除を行うことを特徴としている。本発明のプリンタによれば、記録紙片が記録紙排出口から落下することが無いので、記録紙片が落下して紛失するなどの弊害を回避でき、落下した記録紙片を拾い上げる必要も無いので操作性もよい。
【００１７】
また、記録紙片が取り除かれない場合であっても、次の印字動作が開始さる場合、記録紙を送り出すための操作入力がある場合には、可動刃が元の位置に戻されるので、紙詰まりの発生を防止できる。また、記録紙収納部の開閉蓋のロックが解除された場合にも可動刃が元の位置に戻されるので、開閉蓋を開けることができないなどの不具合も生じない。
【発明の効果】
【００１８】
本発明では、記録紙切断方向に可動刃が移動して記録紙の切断を開始すると、当該可動刃の側面と押さえレバーの間に切断位置手前側の記録紙の部分が挟まれ、これにより、切断後の記録紙片の落下が防止される。また、記録紙片の保持を、必要に応じて解除するようにしている。したがって、紙詰まりの発生、操作性の悪化を招くことなく、記録紙片が記録紙排出口から落下しないように保持することのできるプリンタを実現できる。
【発明を実施するための最良の形態】
【００１９】
以下に、図面を参照して、本発明を適用したロール紙プリンタを説明する。
【００２０】
（全体構成）
図１は本発明を適用したロール紙プリンタの外観斜視図であり、図２はその開閉蓋を全開した状態の外観斜視図である。ロール紙プリンタ１は、全体としてほぼ直方体形状をした外装ケース１ａを備えており、その前面には所定幅の記録紙排出口２が形成されている。記録紙排出口２の下側には排紙ガイド３が前方に突出しており、当該排紙ガイド３の側方には蓋開閉レバー４が配置されている。外装ケース１ａにおける排紙ガイド３および蓋開閉レバー４の下側には矩形の開口部１ｂが形成されており、この開口部１ｂは前方に開けることのできる開閉蓋５で封鎖されている。
【００２１】
蓋開閉レバー４を操作すると不図示の蓋ロック機構が解除され、開閉蓋５を開けることができる。蓋ロック機構を解除して、排紙ガイド３を前方に引くと、図２に示すように、開閉蓋５が下端部を中心として前方にほぼ水平となるまで開く。開閉蓋５が開くと、プリンタ内部に形成されているロール紙収納部６が開放状態となり、プリンタ前方からロール紙の交換作業などを行うことができる。
【００２２】
また、開閉蓋５の側方には、ＬＥＤからなる複数の状態表示ランプ、ペーパーフィードボタンＰＦなどが配列された操作面６０が形成されている。
【００２３】
図３はロール紙プリンタ１の内部構造を示す概略縦断面図であり、外装ケース１ａを取り外した状態で示してある。図４は図３の矢印IVの方向から見た場合の平面図である。プリンタ内部に形成されているロール紙収納部６は、ロール紙７を転動可能な状態で保持するロール紙ホルダ８を備えている。ロール紙収納部６の上方における後側の部位にはプリンタ前後方向に水平に記録紙ガイド９が配置されている。記録紙ガイド９の前側には、一段高い位置においてプリンタ前後方向に水平に、プラテンガイド１０が配置されている。プラテンガイド１０の真上には、インクジェットヘッド１１が配置されている。インクジェットヘッド１１のノズル面１１ａは、プラテンガイド１０の上面１０ａに対して一定のギャップで対峙しており、当該上面１０ａによって印字位置が規定されている。
【００２４】
印字位置を規定しているプラテンガイド１０と、記録紙ガイド９との間には、第１紙送りローラ１２がプリンタ幅方向に水平に架け渡されている。第１紙送りローラ１２には下側から所定幅の第１紙押さえローラ１３が所定の押圧力で押し付けられている。第１紙押さえローラ１３は、ベルト・プーリ式の伝達機構１４を介して紙送りモータ１５によって駆動される（図４参照）。プラテンガイド１０における前端側の部位には、第２紙送りローラ１６が配置されている。第２紙送りローラ１６には、上側から第２紙押さえローラ１７が押し付けられている。
【００２５】
次に、インクジェットヘッド１１はキャリッジ１８に搭載されており、キャリッジ１８は、プリンタ幅方向に水平に延びるキャリッジガイド１９に沿ってプリンタ幅方向（印字幅方向）に移動可能な状態で支持されている。キャリッジ１８はプリンタ幅方向に架け渡したタイミングベルト２０に連結されており、タイミングベルト２０はキャリッジモータ２１によって駆動される。キャリッジモータ２１を駆動すると、キャリッジ１８に搭載されているインクジェットヘッド１１がプリンタ幅方向に移動し、この移動に同期してインクジェットヘッド１１が駆動されて、ロール紙７から繰り出されて印字位置を通過する記録紙７ａの表面に印字が行われる。
【００２６】
なお、キャリッジ１８にはフレキシブルプリント配線基板２９の一端が接続されており、ここを介して、インクジェトヘッド１１への給電などが行われる。また、インクジェットヘッド１１には、ロール紙収納部６の側方に配置されているインクカートリッジ収納部に収納されているインクカートリッジからインクチューブを介してインクが供給されるようになっている。図においては、これらのインク供給系を省略してある。
【００２７】
一方、図３に示すように、記録紙排出口２には、鋏式の記録紙切断装置２２が配置されている。記録紙切断装置２２の固定刃２３は上向き状態で垂直に配置されており、その可動刃２４は下向きで垂直に配置されている。可動刃駆動機構２５によって可動刃２４がプリンタ幅方向の一方の端を支点として上下方向に旋回すると、固定刃２３との接触点がプリンタ幅方向に移動して、これらの間に位置する記録紙７ａを幅方向に切断できる。本例では、固定刃２３が開閉蓋５の側に取り付けられており、可動刃２４がプリンタ本体側に取り付けられている。また、可動刃２４は固定刃２３のプリンタ前側（記録紙排出側）の側面２３ａに沿って上下方向に旋回するようになっている。
【００２８】
このように構成されているロール紙プリンタ１では、図３において太い一点鎖線で示すように、ロール紙収納部６に収納されているロール紙７から引き出された記録紙７ａが、記録紙ガイド９によってガイドされ、第１紙送りローラ１２および第１紙押さえローラ１３の間からプラテンガイド１０の上面１０ａ（印字位置）を経由して第２紙送りローラ１６および第２紙押さえローラ１７の間を通って記録紙排出口２から外部に引き出された状態にセットされる。
【００２９】
この状態で第１紙送りローラ１２および第２紙送りローラ１６が回転すると、記録紙７ａの搬送が開始される。記録紙７ａの搬送に同期させてインクジェットヘッド１１が駆動され、印字位置を通過する記録紙７ａの表面に印字が行われる。例えば、印字後の記録紙７ａが記録紙排出口２から排出された状態で搬送が停止し、記録紙切断装置２２によって記録紙７ａが切断され、所定長さの印字済みの記録紙片が、レシートあるいはクーポンとして発行される。
【００３０】
ここで、記録紙切断装置２２によって切断されて得られる記録紙片は、記録紙排出口２から、排紙ガイド３の傾斜ガイド面３ａに沿って落下してしまう。そこで、本例のロール紙プリンタ１には、このような切断後の記録紙片の落下を防止するために、当該記録紙片を保持するための記録紙保持機構３０が記録紙排出口２に配置されている。
【００３１】
（記録紙保持機構）
図５は記録紙切断装置２２および記録紙保持機構３０の部分を示す概略構成図であり、記録紙切断装置２２によって記録紙７ａが切断され終わった時点の状態を示してある。また、図６は記録紙保持機構３０の動作を示す説明図である。
【００３２】
これらの図を参照して説明すると、記録紙保持機構３０は、押さえレバー３１と、この押さえレバー３１を付勢している引張りコイルばね３２とを備えている。押さえレバー３１は、上下方向の中程の位置において支軸３３を中心としてプリンタ前後方向に旋回可能な状態に支持されている。押さえレバー３１の上端部分には、記録紙切断装置２２の可動刃２４の記録紙排出側の側面２４ａに前方から係合可能な垂直係合面３４と、この垂直係合面３４の下側から後方に延びている係合突起３５とが形成されている。
【００３３】
押さえレバー３１における支軸３３より下側の部位にはばね掛け３６が形成されており、このばね掛け３６よりも前方におけるプリンタメインフレーム３７の部位にもばね掛け３８が形成されており、これらの間に引張り状態で引張りコイルばね３２が掛け渡されている。この結果、押さえレバー３１は、その上端部分が後方に旋回する方向に常に付勢されており、係合突起３５の先端が常に固定刃２３における記録紙排出側の側面２３ａに当たった状態に保持されている。
【００３４】
ここで、押さえレバー３１の垂直係合面３４と固定刃２３の側面２３ａの隙間は、僅かに可動刃２４の厚さよりも狭く設定されており、図５において想像線で示す上方の待機位置（上死点）２４Ａから可動刃２４が下方（切断方向）に移動すると、押さえレバー３１を押し出しながら、これらの隙間に嵌り込み、図５に示す切断終了位置（下死点）２４Ｂまで移動するようになっている。したがって、可動刃２４が切断方向に移動すると、押さえレバー３１の垂直係合面３４が可動刃２４の側面２４ａに前方から押し付けられた係合状態が形成される。可動刃２４を切断終了位置２４Ｂから上方に戻すと、押さえレバー３１と側面２４ａの係合が解除される。
【００３５】
この構成の記録紙保持機構３０の動作を説明する。まず、図６（ａ）に示すように、長尺状の記録紙７ａの先端部分は、印字位置を経由して印字された後に、可動刃２４が待機位置２４Ａに位置している記録紙切断装置２２の切断位置２２Ａを通って記録紙排出口２から排紙ガイド３に向けて所定長さだけ排出され、この状態で記録紙７ａの搬送が停止する。
【００３６】
この状態で記録紙切断装置２２が駆動され、その可動刃２４が待機位置２４Ａから下方（切断方向）に移動して、記録紙７ａの切断を開始する。図６（ｂ）にはこの状態を示してある。可動刃２４が切断方向に移動すると、その側面２４ａが、記録紙切断位置２２Ａの手前側（下流側）の記録紙の部分７ｂを挟み、記録紙保持機構３０の押さえレバー３１の垂直係合面３４に係合した状態が形成される。これ以後は、切断される側の記録紙の部分７ｂの後端部分は、可動刃２４の側面２４ａと押さえレバー３１の垂直係合面３４の間に挟持された状態になる。
【００３７】
このような係合状態が保持されたまま、図５に示すように、可動刃２４が切断終了位置２４Ｂまで下降して、記録紙７ａの先端部分から一定長さの記録紙７ｂが完全に切断される。この状態では、切断後の記録紙片７ｂの後端部分が、可動刃２４と押さえレバー３１の間に挟持されている。よって、記録紙片７ｂが排紙ガイド３を滑り落ちて下方に落下してしまうことがない。
【００３８】
ここで、図５に示すように、排紙ガイド３の近傍には、切断後の記録紙片７ｂが取り除かれたか否かを検出するための記録紙センサ４０が配置されている。操作者が記録紙片７ｂを取り出すと、記録紙センサ４０によってそれが検出され、これに基づき、可動刃２４が元の待機位置２４Ａに戻される。また、本例の記録紙切断装置２２は、可動刃２４が待機位置２４Ａに戻ったことを検出するための上死点センサ４１と、可動刃２４が切断収納位置まで下降したことを検出するための下死点センサ４２とを備えている。
【００３９】
（駆動制御系）
図７は本例のロール紙プリンタ１の駆動制御系を示す概略ブロック図である。駆動制御系は、マイクロコンピュータを中心に構成されている駆動制御回路５１を有している。この駆動制御回路５１には、インクジェットヘッド１１を駆動するためのヘッドドライバ５２と、紙送りモータ１５およびキャリッジモータ２１をそれぞれ駆動するためのモータドライバ５３、５４、記録紙切断装置２２の可動刃２４を移動させるための駆動モータ５５のモータドライバ５６などが接続されている。また、パーソナルコンピュータなどの上位機器５７に接続されている。駆動制御回路５１はそのＲＯＭ内に格納されている制御プログラムを実行することにより、上位機器５７から供給される印字指令および印字データに基づき、記録紙の送り動作に同期させて、インクジェットヘッド１１を駆動して、記録紙７ａに印字を行う。
【００４０】
また、駆動制御回路５１の入力側には、ペーパーフィードボタンＰＦ、蓋開閉レバー４が操作されて蓋ロック機構が解除されたことを検出するためのロック解除センサ５８、記録紙センサ４０、上死点センサ４１、下死点センサ４２などが接続されている。これらから入力される指令信号および検出信号に基づき、以下に述べるように、記録紙保持機構３０による記録紙片７ａの保持および保持の解除を行うようになっている。
【００４１】
（記録紙片の保持および保持解除動作）
図８は、記録紙保持機構３０の記録紙片の保持および保持解除動作を示す概略フローチャートである。印字動作が終了すると記録紙７ａの搬送が停止し、記録紙切断位置２２Ａから、記録済みの記録紙部分が前方に送り出された状態になる（図６（ａ）参照）。この後に、記録紙切断装置２２の駆動モータ５５が駆動され、可動刃２４が待機位置２４Ａから切断方向（下方向）に移動して、記録紙７ａの切断を開始する（ステップＳＴ１のカッタ駆動、図６（ｂ）参照）。可動刃２４が切断終了位置２４Ｂ（下死点）に到達したことが下死点センサ４２によって検出されると、駆動モータ５５が停止して、可動刃２４がその位置２４Ｂに保持される（ステップＳＴ２、３）。この結果、記録紙７ａの先端側の印字済みの部分が切断され、一定長さの記録紙片７ｂが得られ、この記録紙片７ｂの後端部分が図５に示すように、記録紙保持機構３０によって保持された状態になる。
【００４２】
この状態において、記録紙片７ｂを操作者が引き抜くと、記録紙センサ４０によって記録紙片７ｂが検出されなくなり、記録紙片７ｂが引き抜かれたことが分かる（ステップＳＴ４）。記録紙片７ｂが引き抜かれると、可動刃２４を元の待機位置（上死点）２４Ｂに戻す動作が開始する（ステップＳＴ５のカッタ戻し）。可動刃２４が待機位置２４Ｂに戻ったことが上死点センサ４１によって検出されると、可動刃２４が止まる（ステップＳＴ６、７）。
【００４３】
ここで、記録紙片７ｂが操作者によって抜き取られない場合であっても、次の場合には、可動刃２４が待機位置２４Ａに戻り、記録紙片７ｂの保持が解除される。まず、次の印字動作が開始される場合、すなわち、新たなレシート、クーポンなどを発行する場合には、可動刃２４を元の待機位置２４Ａに戻さないと、その下流側に位置している記録紙７ａを記録紙排出口２に送り出すことができず、当該可動刃２４によって記録紙７ａの搬送が遮られて、ここに記録紙７ａが詰まってしまう。本例では、次の印字動作が行われる場合には、記録紙片７ｂが保持されていても、可動刃２４を元の待機位置２４Ａに戻して、記録紙片７ｂの保持を解除している（ステップＳＴ４→ＳＴ８→ＳＴ５→ＳＴ６→ＳＴ７）。これにより、紙詰まりの発生が防止される。
【００４４】
また、蓋開閉レバー４が操作されて開閉蓋５のロックが解除されたことがロック解除センサ５８により検出された場合においても、記録紙片７ｂが保持されていても、可動刃２４を元の待機位置２４Ａに戻している（ステップＳＴ４→ＳＴ８→ＳＴ９→ＳＴ５→ＳＴ６→ＳＴ７）。本例では、開閉蓋５の側に固定刃２３が取り付けられており、この固定刃２３の記録紙排出側（開閉蓋５の開き方向の側）を可動刃２４が移動する。したがって、可動刃２４が切断終了位置２４Ｂに位置している閉じ状態のままでは開閉蓋５を開けることができず、この状態で開閉蓋５が強引に開けられると記録紙切断装置２２が破損してしまう。本例では、このような弊害が未然に防止される。
【００４５】
さらに、ペーパーフィードボタンＰＦが操作された場合においても、可動刃２４が閉じていると、そこに記録紙７ａの先端が当たり、紙詰まり状態に陥ってしまう。そこで、本例では、ペーパーフィードボタンＰＦが操作された場合においても、可動刃２４を待機位置２４Ａに戻すようにしている（ステップＳＴ４→ＳＴ８→ＳＴ９→ＳＴ１０→ＳＴ５→ＳＴ６→ＳＴ７）。このため、ペーパーフィード操作に起因する紙詰まりの発生も未然に防止できる。
【００４６】
以上説明したように、本例のロール紙プリンタ１においては、押さえレバー３１と可動刃２４の間に位置している記録紙の部分、即ち、切断後の記録紙７ｂの後端部分を、これらの間に挟み込むことにより、切断後の記録紙７ｂが落下することを防止している。したがって、これらが予め押し付けられている部分に記録紙を通して、これらの間に切断後の記録紙７ｂが挟持された状態を形成する場合とは異なり、当該部分において紙詰まりが発生するおそれがない。
【００４７】
また、切断後の記録紙７ｂが取り除かれないままの状態であっても、可動刃２４を戻せば、記録紙７ｂが開放されて記録紙排出口２から落下する。よって、操作者が記録紙７ｂを取り忘れた場合であっても、次の記録紙発行動作などを開始することが可能である。すなわち、次の印字動作が行われるのに先立って可動刃２４が戻されて記録紙片７ｂの保持が解除される。また、ペーパーフィードの操作入力があると、可動刃２４を戻して記録紙片７ｂの保持を解除してペーパーフィードを行うようにしている。したがって、閉じ状態の可動刃２４によって紙詰まりが発生することを回避できる。さらには、開閉蓋５を開けるためにロックが解除された場合においても可動刃２４を戻して記録紙片７ｂの保持を解除している。したがって、開閉蓋５を開けることができないなどとった不具合も発生しない。
【００４８】
よって、紙詰まりを引き起こすことなく切断後の記録紙片を保持でき、また、記録紙片の保持状態を維持することによる弊害も未然に防止できる操作性の良いロール紙プリンタを実現できる。
【図面の簡単な説明】
【００４９】
【図１】本発明を適用したロール紙プリンタの外観斜視図である。
【図２】開閉蓋を開いた状態のロール紙プリンタの外観斜視図である。
【図３】図１のロール紙プリンタの内部構造を示す概略縦断面図である。
【図４】図３の矢印IVの方向から見た場合の平面図である。
【図５】ロール紙プリンタの記録紙保持機構を示す概略構成図である。
【図６】記録紙保持機構の動作を示す説明図である。
【図７】ロール紙プリンタの駆動制御系の概略ブロック図である。
【図８】記録紙片の保持および保持解除動作を示す概略フローチャートである。
【符号の説明】
【００５０】
１  ロール紙プリンタ、２  記録紙排出口、３  排紙ガイド、４  蓋開閉レバー、５  開閉蓋、６  ロール紙収納部、７  ロール紙、７ａ  記録紙、７ｂ  記録紙片、８  ロール紙ホルダ、１０  プラテンガイド、１０ａ  上面（印字位置）、１１  インクジェットヘッド、１２  第１紙送りローラ、１３  第１紙押さえローラ、１６  第２紙送りローラ、１７  第２紙押さえローラ、１８  キャリッジ、１９  キャリッジガイド、２１  キャリッジモータ、２２  記録紙切断装置、２３  固定刃、２３ａ  固定刃の側面、２４  可動刃、２４ａ  可動刃の側面、３０  記録紙保持機構、３１  押さえレバー、３２  引張りコイルばね、３３  支軸、３４  垂直係合面、３５  係合突起、３６，３８  ばね掛け、４０  記録紙センサ、４１  上死点センサ、４２  下死点センサ、５１  駆動制御回路、５２  ヘッドドライバ、５３，５４，５６  モータドライバ、５５  駆動モータ、５７  上位機器、５８  ロック解除センサ、ＰＦ  ペーパーフィードボタン
【図１】
2007111881.tif 000003
【図２】
2007111881.tif 000004
【図３】
2007111881.tif 000005
【図４】
2007111881.tif 000006
【図５】
2007111881.tif 000007
【図６】
2007111881.tif 000008
【図７】
2007111881.tif 000009
【図８】
2007111881.tif 000010